(57)【要約】【課題】電気式床暖房システムに付設されている既存のコントローラを合理的に利用して、コスト安に積算消費電力や電気代を簡易に表示できるようにした電気式床暖房システムの消費電力表示装置を提供する。【解決手段】電気式床暖房システムに付設されているコントローラ２０の制御ユニットに、ヒータ（床暖房パネル１）１枚当たりの定格電力とヒータ（床暖房パネル１）敷設枚数とを乗じてなる総定格電力に関する情報を入力する入力部２１と、ヒータ（床暖房パネル１）の温度設定に対応する通電率および通電時間を検出する検出部２２と、総定格電力と通電率と通電時間とを乗じてなる積算消費電力を算出する算出部２３とを設けて、コントローラ２０の表示部４で、積算消費電力を表示するようにした。【選択図】図１
2007170708.tif 000002
【特許請求の範囲】
【請求項１】
電気式床暖房システムに付設されているコントローラの制御ユニットに、ヒータ１枚当たりの定格電力とヒータ敷設枚数とを乗じてなる総定格電力に関する情報を入力する入力部と、ヒータの温度設定に対応する通電率および通電時間を検出する検出部と、総定格電力と通電率と通電時間とを乗じてなる積算消費電力を算出する算出部とを設けて、前記コントローラの表示部で、積算消費電力を表示するようにしたことを特徴とする電気式床暖房システムの消費電力表示装置。
【請求項２】
前記入力部で、ヒータ等の品番およびヒータ敷設枚数を入力し、前記算出部で、品番に対応するヒータ１枚当たりの定格電力とヒータ敷設枚数とを乗じてなる総定格電力を算出するようにしたことを特徴とする請求項１に記載の電気式床暖房システムの消費電力表示装置。
【請求項３】
前記入力部で、１時間当たりの電気代を入力し、前記算出部で、積算消費電力と１時間当たりの電気代とを乗じてなる通電時間中の電気代を算出し、前記表示部で、通電時間中の電気代を表示するようにしたことを特徴とする請求項１または２に記載の電気式床暖房システムの消費電力表示装置。
【発明の詳細な説明】
【技術分野】
【０００１】
本発明は、電気式床暖房システムの消費電力表示装置に関する。
【背景技術】
【０００２】
図４に示すように、電気式床暖房システムに用いる床暖房パネル１は、面状ヒータが内蔵されていて、複数枚の床暖房パネル１を床下地の上面に隙間無く敷き詰めるようになっている。
【０００３】
前記のような電気式床暖房システムに付設されているコントローラ２としては、入切スイッチ３ａや床温設定スイッチ３ｂ等が設けられて、内蔵の制御ユニットで表示部（液晶表示器等）４に面状ヒータの設定床温等を表示するようにしたものがある（特許文献１参照）。
【０００４】
ところで、一般家庭における電気の使用量、つまり消費電力の内、電気式床暖房システムが占める割合が大きくて、ユーザーの関心が高まりつつある。
【特許文献１】特許第３３５１９２１号公報
【発明の開示】
【発明が解決しようとする課題】
【０００５】
しかしながら、電気式床暖房システムが占める消費電力を表示するためには、図４のように、消費電力測定装置５を別途に設けて、それを表示部（液晶表示器等）５ａで表示する必要があるために、コスト高になるという問題があった。
【０００６】
本発明は、前記問題を解消するためになされたもので、電気式床暖房システムに付設されている既存のコントローラを合理的に利用して、コスト安に積算消費電力や電気代を簡易に表示できるようにした電気式床暖房システムの消費電力表示装置を提供することを目的とするものである。
【課題を解決するための手段】
【０００７】
前記課題を解決するために、本発明は、電気式床暖房システムに付設されているコントローラの制御ユニットに、ヒータ１枚当たりの定格電力とヒータ敷設枚数とを乗じてなる総定格電力に関する情報を入力する入力部と、ヒータの温度設定に対応する通電率および通電時間を検出する検出部と、総定格電力と通電率と通電時間とを乗じてなる積算消費電力を算出する算出部とを設けて、前記コントローラの表示部で、積算消費電力を表示するようにしたことを特徴とする電気式床暖房システムの消費電力表示装置を提供するものである。
【０００８】
施工現場での設定が容易に行えるようにするために、前記入力部で、ヒータ等の品番およびヒータ敷設枚数を入力し、前記算出部で、品番に対応するヒータ１枚当たりの定格電力とヒータ敷設枚数とを乗じてなる総定格電力を算出するように構成することが好ましい。
【０００９】
通電時間中の電気代を簡易に表示できるようにするために、前記入力部で、１時間当たりの電気代を入力し、前記算出部で、積算消費電力と１時間当たりの電気代とを乗じてなる通電時間中の電気代を算出し、前記表示部で、通電時間中の電気代を表示するように構成することが好ましい。
【発明の効果】
【００１０】
本発明によれば、電気式床暖房システムに付設されている既存のコントローラを合理的に利用して、コントローラに内蔵されている制御ユニットに、入力部と検出部と算出部とを設けて、入力部で、総定格電力に関する情報を入力するだけで、検出部により、ヒータの通電率と通電時間とを検出して、算出部により、積算消費電力を算出することで、コントローラの表示部（液晶表示器等）に、積算消費電力を簡易に表示できるようになる。
【００１１】
また、既存のコントローラに内蔵されている制御ユニットに、入力部と検出部と算出部とを付加するだけであり、表示部等はそのまま利用可能であるから、コスト安になる。
【発明を実施するための最良の形態】
【００１２】
以下、本発明を実施するための最良の形態について、図面を参照しながら詳細に説明する。なお、背景技術と同一構成・作用の箇所は、同一番号を付して詳細な説明を省略する。
【００１３】
図１に示すように、電気式床暖房システムに用いる床暖房パネル１は、床下地の上面に隙間無く複数枚が敷き詰められている。本実施形態では、図３に示すような６畳間の部屋１０の内、約２畳分を部分暖房するために、床暖房パネル１が例えば縦長さ１８１８ｍｍ（６尺）、横幅３０３ｍｍ（１尺）の規格化されたサイズであれば、６枚を横並びで敷設している。各床暖房パネル１には、面状ヒータ１１がそれぞれ内蔵されていて、例えば、面状ヒータ１１の１枚当たりの定格電力は１００Ｗであり、敷設枚数（６枚）の総定格電力は１００Ｗ×６枚＝６００Ｗである。因みに、６畳間の部屋１０の全室暖房であれば、前記サイズの床暖房パネル１では、１８枚を敷設する必要がある。
【００１４】
電気式床暖房システムに付設されているコントローラ２０は、図４の従来技術と同様に、入切スイッチ３ａや床温設定スイッチ３ｂ等が設けられて、内蔵の制御ユニットで表示部（液晶表示器等）４に設定床温等を表示することができる。
【００１５】
図２に詳細に示すように、前記コントローラ２０の制御ユニットには、床暖房パネル１の１枚当たりの定格電力（例えば１００Ｗ）と床暖房パネル１の敷設枚数（例えば６枚）とを乗じてなる総定格電力（例えば６００Ｗ）に関する情報と、１時間当たりの電気代（例えば２２円／ＫＷｈ）とを入力する入力部（スイッチ）２１を設けている。なお、電気代は、変動することもあるので、変動時に設定し直せば良い。
【００１６】
後述する算出部２３に、品番に対応する床暖房パネル１の１枚当たりの定格電力を予めプログラムしておけば、入力部２１で、床暖房パネル１の品番（例えばＡＢ）および床暖房パネル１の敷設枚数（例えば６枚）を入力するだけで良い。
【００１７】
また、床暖房パネル１に対する通電率（例えば、図３の部屋１０で、右側３枚だけに通電している場合には５０％）および通電時間〔例えば入切スイッチ３ａのオンから８時間経過〕を検出する検出部（電気回路）２２を設けている。なお、通電時間は、タイマー機能を付加すれば、１日の内に入切スイッチ３ａのオンオフを繰り返しても、その日のトータルの通電時間を検出したり（１日単位）、１週間単位や１箇月単位で通電時間を検出することも可能である。
【００１８】
さらに、総定格電力と通電率と通電時間とを乗じてなる積算消費電力（例えば６００Ｗ×０．５×８ｈ＝２．４ＫＷｈ）と、積算消費電力（例えば２．４ＫＷｈ）と１時間当たりの電気代（例えば２２円／ＫＷｈ）とを乗じてなる通電時間（例えば８時間）中の電気代（例えば２．４ＫＷｈ×２２円／ＫＷｈ＝５２．８円）とを算出する算出部（電気回路）２３を設けている。
【００１９】
そして、検出部２２や算出部２３の出力信号に基づいて、コントローラ２０の表示部（液晶表示器等）４には、通電時間（例えば８時間）、積算消費電力（例えば２．４ＫＷｈ）、電気代（例えば５２．８円）等を選択的に若しくは同時に表示することができる。
【００２０】
本実施形態の電気式床暖房システムの消費電力表示装置によれば、電気式床暖房システムに付設されている既存のコントローラ２０を合理的に利用して、コントローラ２０に内蔵されている制御ユニットに、入力部２１と検出部２２と算出部２３とを設けて、入力部２１で、総定格電力（例えば６００Ｗ）に関する情報を入力するだけで、検出部２２により、床暖房パネル１に対する通電率（例えば５０％）と通電時間（例えば８時間）とを検出して、算出部２３により、積算消費電力（例えば２．４ＫＷｈ）を算出することで、コントローラ２２の表示部（液晶表示器等）４に、積算消費電力（例えば２．４ＫＷｈ）を簡易に表示できるようになる。
【００２１】
また、入力部２１で、現在の１時間当たりの電気代（例えば２２円／ＫＷｈ）を入力するだけで、算出部２３により、通電時間（例えば８時間）中の電気代（例えば５２．８円）を算出することで、コントローラ２０の表示部（液晶表示器等）４に、通電時間（例えば８時間）中の電気代（例えば５２．８円）を簡易に表示できるようになる。
【００２２】
さらに、既存のコントローラ２０に内蔵されている制御ユニットに、入力部２１と検出部２２と算出部２３とを付加するだけであり、表示部４等はそのまま利用可能であるから、コスト安になる。
【００２３】
さらにまた、入力部２１で、床暖房パネル１の品番（例えばＡＢ）および床暖房パネル１の敷設枚数（例えば６枚）を入力するだけで、算出部２３で、品番に対応する床暖房パネル１の１枚当たりの定格電力（例えば１００Ｗ）と床暖房パネル１の敷設枚数（例えば６枚）とを乗じてなる総定格電力（例えば６００Ｗ）を算出することができるので、施工現場での設定が容易に行えるようになる。
【００２４】
前記実施形態では、面状ヒータ１１を内蔵した床暖房パネル１を敷き並べたものであったが、床下地の上面にヒータ体を敷き並べて、その上に床仕上げ材（フロア材）を乗せるタイプであっても良い。
【００２５】
前記実施形態では、床温設定の表示部４を共用したものであったが、表示部４を大きくして、設定床温とともに積算消費電力や電気代等を表示したり、積算消費電力や電気代等を専用に表示する表示部を設けることもできる。
【図面の簡単な説明】
【００２６】
【図１】本発明の実施形態に係る電気式床暖房システムのシステム図である。
【図２】本発明の実施形態に係るコントローラの制御ユニットに設ける入力部、検出部および算出部のシステム図である。
【図３】本発明の実施形態に係る電気式床暖房システムを施工した部屋の平面図である。
【図４】従来の電気式床暖房システムのシステム図である。
【符号の説明】
【００２７】
１    床暖房パネル
４    表示部
１０  部屋
１１  面状ヒータ
２０  コントローラ
２１  入力部
２２  検出部
２３  算出部
【図１】
2007170708.tif 000003
【図２】
2007170708.tif 000004
【図３】
2007170708.tif 000005
【図４】
2007170708.tif 000006